(57)【要約】【課題】  条件等色の現象が発生する色材や光源を容易に予測することができる光源依存性評価装置を提供する。【解決手段】  分光放射情報と分光反射率情報と等色関数情報と三刺激値算出式とを用いて、色材に光源の光が照射された際の当該色材の三刺激値を、色材と光源との組合せ毎に算出し、その算出した三刺激値と色空間情報算出式を用いて組合せ毎の色空間情報を算出する。そして、ある光源とある色材の組合せについて算出した色空間情報と、前記ある光源と他の色材の前記組合せについて算出した色空間情報との差が第１の所定の閾値以下であり、他の光源と前記ある色材の組合せについて算出した色空間情報と、前記他の光源と前記他の色材の組合せについて算出した色空間情報との差が第２の所定の閾値以上となる、前記ある色材と前記他の色材の組合せを特定する。【選択図】    図１
2005292071.tif 000002
【特許請求の範囲】
【請求項１】
複数の光源の分光放射情報を記憶する分光放射情報記憶手段と、
複数の色材の分光反射率情報を記憶する分光反射率情報記憶手段と、
目の受光感度を示す等色関数情報を記憶する等色関数情報記憶手段と、
色特定情報の第１の範囲と第２の範囲の指定を受け付ける色特定情報範囲指定受付手段と、
前記分光放射情報記憶手段から読み取った前記分光放射情報と、前記分光反射率情報記憶手段から読み取った前記分光反射率情報と、前記等色関数情報記憶手段から読み取った前記等色関数情報と、色特定情報算出式と、を用いて、前記複数の光源のうちの何れかの光源と前記複数の色材の何れかの色材との組合せにおける前記色特定情報を算出する色特定情報算出手段と、
前記色特定情報が一方の光源では前記第１の範囲に含まれ、かつ、前記色特定情報が他方の光源では前記第２の範囲に含まれる、前記一方の光源と前記他方の光源と前記色材との組合せを特定する組合せ特定手段と、
を備えることを特徴とする物体色の光源依存性評価装置。
【請求項２】
複数の光源の分光放射情報を指定する分光放射情報指定手段と、
複数の色材の分光反射率情報を指定する分光反射率情報指定手段と、
目の受光感度を示す等色関数情報を指定する等色関数情報指定手段と、
前記指定された分光放射情報と前記指定された分光反射率情報と前記指定された等色関数情報と色特定情報算出式とを用いて、前記指定された色材に前記指定された光源の光が照射された際の当該色材の色特定情報を、前記指定された複数の色材におけるいずれかの色材と前記指定された複数の光源におけるいずれかの光源との組合せ毎に算出する色特定情報算出手段と、
ある光源とある色材の組合せについて算出した色特定情報と、前記ある光源と他の色材の組合せについて算出した色特定情報との差が第１の所定の閾値以下であり、前記他の光源と前記ある色材の組合せについて算出した色特定情報と、前記他の光源と前記他の色材の組合せについて算出した色特定情報との差が第２の所定の閾値以上となる、前記ある色材と前記他の色材の組合せを特定する色材特定手段と、
を備えることを特徴とする物体色の光源依存性評価装置。
【請求項３】
複数の光源の分光放射情報を指定する分光放射情報指定手段と、
複数の色材の分光反射率情報を指定する分光反射率情報指定手段と、
目の受光感度を示す等色関数情報を指定する等色関数情報指定手段と、
前記指定された分光放射情報と前記指定された分光反射率情報と前記指定された等色関数情報と前記色特定情報算出式とを用いて、前記指定された色材に前記指定された光源の光が照射された際の当該色材の色特定情報を、前記指定された複数の色材におけるいずれかの色材と前記指定された複数の光源におけるいずれかの光源との組合せ毎に算出する色特定情報算出手段と、
前記指定された光源のうちの特定の光源と前記指定された色材のうちのある１つの色材との組合せについて算出した色特定情報と、前記指定された光源のうちの他の光源と前記ある１つの色材との組合せについて算出した色特定情報と、の差が第３の所定の閾値以上となる前記ある１つの色材を特定する色材特定手段と、
を備えることを特徴とする物体色の光源依存性評価装置。
【請求項４】
複数の光源の分光放射情報を指定する分光放射情報指定手段と、
複数の色材の分光反射率情報を指定する分光反射率情報指定手段と、
目の受光感度を示す等色関数情報を指定する等色関数情報指定手段と、
前記指定された分光放射情報と前記指定された分光反射率情報と前記指定された等色関数情報と前記色特定情報算出式とを用いて、前記指定された色材に前記指定された光源の光が照射された際の当該色材の色特定情報を、前記指定された複数の色材におけるいずれかの色材と前記指定された複数の光源におけるいずれかの光源との組合せ毎に算出する色特定情報算出手段と、
前記指定された光源のうちのある光源と前記指定された光源のうちのある色材の組合せについて算出した色特定情報と、前記ある光源と前記指定された光源のうちの他の色材の組合せについて算出した色特定情報との差が第４の所定の閾値以下であり、前記指定された光源のうちの他の光源と前記ある色材の組合せについて算出した色特定情報と、前記他の光源と前記他の色材の組合せについて算出した色特定情報との差が第５の所定の閾値以上となる、前記ある光源と前記他の光源の組合せを特定する光源特定手段と、
を備えることを特徴とする物体色の光源依存性評価装置。
【請求項５】
前記分光放射情報は任意に設定された情報であることを特徴とする請求項１から請求項４のいずれかに記載の物体色の光源依存性評価装置。
【請求項６】
前記分光反射率情報は任意に設定された情報であることを特徴とする請求項１から請求項５のいずれかに記載の物体色の光源依存性評価装置。
【請求項７】
前記等色関数情報は、人の色覚特性ごとに異なることを特徴とする請求項１から請求項６のいずれかに記載の物体色の光源依存性評価装置。
【請求項８】
複数の光源の分光放射情報を記憶する分光放射情報記憶手段と、
複数の色材の分光反射率情報を記憶する分光反射率情報記憶手段と、
目の受光感度を示す等色関数情報を記憶する等色関数情報記憶手段と、
を備えた物体色の光源依存性評価装置における光源依存性評価方法であって、
色特定情報の第１の範囲と第２の範囲の指定を受け付ける色特定情報範囲指定受付過程と、
前記分光放射情報記憶手段から読み取った前記分光放射情報と、前記分光反射率情報記憶手段から読み取った前記分光反射率情報と、前記等色関数情報記憶手段から読み取った前記等色関数情報と、色特定情報算出式と、を用いて、前記複数の光源のうちの何れかの光源と前記複数の色材の何れかの色材との組合せにおける前記色特定情報を算出する色特定情報算出過程と、
前記色特定情報が一方の光源では前記第１の範囲に含まれ、かつ、前記色特定情報が他方の光源では前記第２の範囲に含まれる、前記一方の光源と前記他方の光源と前記色材との組合せを特定組合せ特定過程と、
を有することを特徴とする物体色の光源依存性評価方法。
【請求項９】
物体色の光源依存性評価装置における光源依存性評価方法であって、
複数の光源の分光放射情報を指定する分光放射情報指定過程と、
複数の色材の分光反射率情報を指定する分光反射率情報指定過程と、
目の受光感度を示す等色関数情報を指定する等色関数情報指定過程と、
前記指定された分光放射情報と前記指定された分光反射率情報と前記指定された等色関数情報と前記色特定情報算出式とを用いて、前記指定された色材に前記指定された光源の光が照射された際の当該色材の色特定情報を、前記指定された複数の色材におけるいずれかの色材と前記指定された複数の光源におけるいずれかの光源との組合せ毎に算出する色特定情報算出過程と、
ある光源とある色材の組合せについて算出した色特定情報と、前記ある光源と他の色材の組合せについて算出した色特定情報との差が第１の所定の閾値以下であり、前記他の光源と前記ある色材の組合せについて算出した色特定情報と、前記他の光源と前記他の色材の組合せについて算出した色特定情報との差が第２の所定の閾値以上となる、前記ある色材と前記他の色材の組合せを特定する色材特定過程と、
を有することを特徴とする物体色の光源依存性評価方法。
【請求項１０】
物体色の光源依存性評価装置における光源依存性評価方法であって、
複数の光源の分光放射情報を指定する分光放射情報指定過程と、
複数の色材の分光反射率情報を指定する分光反射率情報指定過程と、
目の受光感度を示す等色関数情報を指定する等色関数情報指定過程と、
前記指定された分光放射情報と前記指定された分光反射率情報と前記指定された等色関数情報と前記色特定情報算出式とを用いて、前記指定された色材に前記指定された光源の光が照射された際の当該色材の色特定情報を、前記指定された複数の色材におけるいずれかの色材と前記指定された複数の光源におけるいずれかの光源との組合せ毎に算出する色特定情報算出過程と、
前記指定された光源のうちの特定の光源と前記指定された色材のうちのある１つの色材との組合せについて算出した色特定情報と、前記指定された光源のうちの他の光源と前記ある１つの色材との組合せについて算出した色特定情報と、の差が第３の所定の閾値以上となる前記ある１つの色材を特定する色材特定過程と、
を有することを特徴とする物体色の光源依存性評価方法。
【請求項１１】
物体色の光源依存性評価装置における光源依存性評価方法であって、
複数の光源の分光放射情報を指定する分光放射情報指定過程と、
複数の色材の分光反射率情報を指定する分光反射率情報指定過程と、
目の受光感度を示す等色関数情報を指定する等色関数情報指定過程と、
前記指定された分光放射情報と前記指定された分光反射率情報と前記指定された等色関数情報と前記色特定情報算出式とを用いて、前記指定された色材に前記指定された光源の光が照射された際の当該色材の色特定情報を、前記指定された複数の色材におけるいずれかの色材と前記指定された複数の光源におけるいずれかの光源との組合せ毎に算出する色特定情報算出過程と、
前記指定された光源のうちのある光源と前記指定された光源のうちのある色材の組合せについて算出した色特定情報と、前記ある光源と前記指定された光源のうちの他の色材の組合せについて算出した色特定情報との差が第４の所定の閾値以下であり、前記指定された光源のうちの他の光源と前記ある色材の組合せについて算出した色特定情報と、前記他の光源と前記他の色材の組合せについて算出した色特定情報との差が第５の所定の閾値以上となる、前記ある光源と前記他の光源の組合せを特定する光源特定過程と、
を有することを特徴とする物体色の光源依存性評価方法。
【請求項１２】
複数の光源の分光放射情報を記憶する分光放射情報記憶手段と、
複数の色材の分光反射率情報を記憶する分光反射率情報記憶手段と、
目の受光感度を示す等色関数情報を記憶する等色関数情報記憶手段と、
を備えた物体色の光源依存性評価装置のコンピュータに実行させるプログラムであって、
色特定情報の第１の範囲と第２の範囲の指定を受け付ける色特定情報範囲指定受付処理と、
前記分光放射情報記憶手段から読み取った前記分光放射情報と、前記分光反射率情報記憶手段から読み取った前記分光反射率情報と、前記等色関数情報記憶手段から読み取った前記等色関数情報と、色特定情報算出式と、を用いて、前記複数の光源のうちの何れかの光源と前記複数の色材の何れかの色材との組合せにおける前記色特定情報を算出する色特定情報算出処理と、
前記色特定情報が一方の光源では前記第１の範囲に含まれ、かつ、前記色特定情報が他方の光源では前記第２の範囲に含まれる、前記一方の光源と前記他方の光源と前記色材との組合せを特定組合せ特定処理と、
をコンピュータに実行させるプログラム。
【請求項１３】
物体色の光源依存性評価装置のコンピュータに実行させるプログラムであって、
複数の光源の分光放射情報を指定する分光放射情報指定処理と、
複数の色材の分光反射率情報を指定する分光反射率情報指定処理と、
目の受光感度を示す等色関数情報を指定する等色関数情報指定処理と、
前記指定された分光放射情報と前記指定された分光反射率情報と前記指定された等色関数情報と前記色特定情報算出式とを用いて、前記指定された色材に前記指定された光源の光が照射された際の当該色材の色特定情報を、前記指定された複数の色材におけるいずれかの色材と前記指定された複数の光源におけるいずれかの光源との組合せ毎に算出する色特定情報算出処理と、
ある光源とある色材の組合せについて算出した色特定情報と、前記ある光源と他の色材の組合せについて算出した色特定情報との差が第１の所定の閾値以下であり、前記他の光源と前記ある色材の組合せについて算出した色特定情報と、前記他の光源と前記他の色材の組合せについて算出した色特定情報との差が第２の所定の閾値以上となる、前記ある色材と前記他の色材の組合せを特定する色材特定処理と、
をコンピュータに実行させるプログラム。
【請求項１４】
物体色の光源依存性評価装置のコンピュータに実行させるプログラムであって、
複数の光源の分光放射情報を指定する分光放射情報指定処理と、
複数の色材の分光反射率情報を指定する分光反射率情報指定処理と、
目の受光感度を示す等色関数情報を指定する等色関数情報指定処理と、
前記指定された分光放射情報と前記指定された分光反射率情報と前記指定された等色関数情報と前記色特定情報算出式とを用いて、前記指定された色材に前記指定された光源の光が照射された際の当該色材の色特定情報を、前記指定された複数の色材におけるいずれかの色材と前記指定された複数の光源におけるいずれかの光源との組合せ毎に算出する色特定情報算出処理と、
前記指定された光源のうちの特定の光源と前記指定された色材のうちのある１つの色材との組合せについて算出した色特定情報と、前記指定された光源のうちの他の光源と前記ある１つの色材との組合せについて算出した色特定情報と、の差が第３の所定の閾値以上となる前記ある１つの色材を特定する色材特定処理と、
をコンピュータに実行させるプログラム。
【請求項１５】
物体色の光源依存性評価装置のコンピュータに実行させるプログラムであって、
複数の光源の分光放射情報を指定する分光放射情報指定処理と、
複数の色材の分光反射率情報を指定する分光反射率情報指定処理と、
目の受光感度を示す等色関数情報を指定する等色関数情報指定処理と、
前記指定された分光放射情報と前記指定された分光反射率情報と前記指定された等色関数情報と前記色特定情報算出式とを用いて、前記指定された色材に前記指定された光源の光が照射された際の当該色材の色特定情報を、前記指定された複数の色材におけるいずれかの色材と前記指定された複数の光源におけるいずれかの光源との組合せ毎に算出する色特定情報算出処理と、
前記指定された光源のうちのある光源と前記指定された光源のうちのある色材の組合せについて算出した色特定情報と、前記ある光源と前記指定された光源のうちの他の色材の組合せについて算出した色特定情報との差が第４の所定の閾値以下であり、前記指定された光源のうちの他の光源と前記ある色材の組合せについて算出した色特定情報と、前記他の光源と前記他の色材の組合せについて算出した色特定情報との差が第５の所定の閾値以上となる、前記ある光源と前記他の光源の組合せを特定する光源特定処理と、
をコンピュータに実行させるプログラム。
【発明の詳細な説明】
【技術分野】
【０００１】
本発明は、条件等色（メタメリズム）の発生する色や光源の条件、または光源の種類によって大きく色が変化する条件を検出する、物体色の光源依存性評価装置および光源依存性評価方法ならびにそのプログラムに関する。
【背景技術】
【０００２】
異なる光源下（例えば、蛍光灯下と太陽光下）で２つの色を比較した際に、一方の光源下においては２つの色が同色であると知覚するが、他方の光源下においては２つの色が全く異なる色として知覚してしまう、条件等色（メタメリズム）という現象が従来知られている。ここで従来、条件等色という現象は、印刷物の製造やインクの製造などの過程においては、条件等色の現象を考慮しないと異なる光源下で色が大きく異なって見えてしまうこととなるので、厄介な現象であったが、この条件等色の現象を用いることにより、新しい製品を開発することが考えられている。例えば、元画像に透かし画像を埋め込む際の技術において条件等色の現象を利用している技術が公開されている（例えば、特許文献１参照）。
【特許文献１】特開２０００−１３４４５０号公報
【発明の開示】
【発明が解決しようとする課題】
【０００３】
しかしながら、条件等色の現象が発生する色や光源を予測することができなかったので、例えば、条件等色の現象を利用した製品を開発しようとした際に、その製品の色を決定や、その製品を利用する際の光源を決定することが容易でなかった。
そこでこの発明は、条件等色の現象や、光源によって色が大きく変化する現象が発生する色材や光源を容易に予測することができる物体色の光源依存性評価装置および光源依存性評価方法ならびにそのプログラムを提供することを目的としている。
【課題を解決するための手段】
【０００４】
本発明は、上述の課題を解決すべくなされたもので、複数の光源の分光放射情報を記憶する分光放射情報記憶手段と、複数の色材の分光反射率情報を記憶する分光反射率情報記憶手段と、目の受光感度を示す等色関数情報を記憶する等色関数情報記憶手段と、色特定情報の第１の範囲と第２の範囲の指定を受け付ける色特定情報範囲指定受付手段と、前記分光放射情報記憶手段から読み取った前記分光放射情報と、前記分光反射率情報記憶手段から読み取った前記分光反射率情報と、前記等色関数情報記憶手段から読み取った前記等色関数情報と、色特定情報算出式と、を用いて、前記複数の光源のうちの何れかの光源と前記複数の色材の何れかの色材との組合せにおける前記色特定情報を算出する色特定情報算出手段と、前記色特定情報が一方の光源では前記第１の範囲に含まれ、かつ、前記色特定情報が他方の光源では前記第２の範囲に含まれる、前記一方の光源と前記他方の光源と前記色材との組合せを特定する組合せ特定手段とを備えることを特徴とする物体色の光源依存性評価装置である。
【０００５】
また本発明は、複数の光源の分光放射情報を指定する分光放射情報指定手段と、複数の色材の分光反射率情報を指定する分光反射率情報指定手段と、目の受光感度を示す等色関数情報を指定する等色関数情報指定手段と、前記指定された分光放射情報と前記指定された分光反射率情報と前記指定された等色関数情報と色特定情報算出式とを用いて、前記指定された色材に前記指定された光源の光が照射された際の当該色材の色特定情報を、前記指定された複数の色材におけるいずれかの色材と前記指定された複数の光源におけるいずれかの光源との組合せ毎に算出する色特定情報算出手段と、ある光源とある色材の組合せについて算出した色特定情報と、前記ある光源と他の色材の組合せについて算出した色特定情報との差が第１の所定の閾値以下であり、前記他の光源と前記ある色材の組合せについて算出した色特定情報と、前記他の光源と前記他の色材の組合せについて算出した色特定情報との差が第２の所定の閾値以上となる、前記ある色材と前記他の色材の組合せを特定する色材特定手段とを備えることを特徴とする物体色の光源依存性評価装置である。
【０００６】
また本発明は、複数の光源の分光放射情報を指定する分光放射情報指定手段と、複数の色材の分光反射率情報を指定する分光反射率情報指定手段と、目の受光感度を示す等色関数情報を指定する等色関数情報指定手段と、前記指定された分光放射情報と前記指定された分光反射率情報と前記指定された等色関数情報と前記色特定情報算出式とを用いて、前記指定された色材に前記指定された光源の光が照射された際の当該色材の色特定情報を、前記指定された複数の色材におけるいずれかの色材と前記指定された複数の光源におけるいずれかの光源との組合せ毎に算出する色特定情報算出手段と、前記指定された光源のうちの特定の光源と前記指定された色材のうちのある１つの色材との組合せについて算出した色特定情報と、前記指定された光源のうちの他の光源と前記ある１つの色材との組合せについて算出した色特定情報と、の差が第３の所定の閾値以上となる前記ある１つの色材を特定する色材特定手段とを備えることを特徴とする物体色の光源依存性評価装置である。
【０００７】
また本発明は、複数の光源の分光放射情報を指定する分光放射情報指定手段と、複数の色材の分光反射率情報を指定する分光反射率情報指定手段と、目の受光感度を示す等色関数情報を指定する等色関数情報指定手段と、前記指定された分光放射情報と前記指定された分光反射率情報と前記指定された等色関数情報と前記色特定情報算出式とを用いて、前記指定された色材に前記指定された光源の光が照射された際の当該色材の色特定情報を、前記指定された複数の色材におけるいずれかの色材と前記指定された複数の光源におけるいずれかの光源との組合せ毎に算出する色特定情報算出手段と、前記指定された光源のうちのある光源と前記指定された光源のうちのある色材の組合せについて算出した色特定情報と、前記ある光源と前記指定された光源のうちの他の色材の組合せについて算出した色特定情報との差が第４の所定の閾値以下であり、前記指定された光源のうちの他の光源と前記ある色材の組合せについて算出した色特定情報と、前記他の光源と前記他の色材の組合せについて算出した色特定情報との差が第５の所定の閾値以上となる、前記ある光源と前記他の光源の組合せを特定する光源特定手段とを備えることを特徴とする物体色の光源依存性評価装置である。
【０００８】
また本発明は、上述の物体色の光源依存性評価装置において、前記分光放射情報は任意に設定された情報であることを特徴とする。
【０００９】
また本発明は、上述の物体色の光源依存性評価装置において、前記分光反射率情報は任意に設定された情報であることを特徴とする。
【００１０】
また本発明は、上述の物体色の光源依存性評価装置において、前記等色関数情報は、人の色覚特性ごとに異なることを特徴とする。
【００１１】
また本発明は、複数の光源の分光放射情報を記憶する分光放射情報記憶手段と、複数の色材の分光反射率情報を記憶する分光反射率情報記憶手段と、目の受光感度を示す等色関数情報を記憶する等色関数情報記憶手段とを備えた物体色の光源依存性評価装置における光源依存性評価方法であって、色特定情報の第１の範囲と第２の範囲の指定を受け付ける色特定情報範囲指定受付過程と、前記分光放射情報記憶手段から読み取った前記分光放射情報と、前記分光反射率情報記憶手段から読み取った前記分光反射率情報と、前記等色関数情報記憶手段から読み取った前記等色関数情報と、色特定情報算出式と、を用いて、前記複数の光源のうちの何れかの光源と前記複数の色材の何れかの色材との組合せにおける前記色特定情報を算出する色特定情報算出過程と、前記色特定情報が一方の光源では前記第１の範囲に含まれ、かつ、前記色特定情報が他方の光源では前記第２の範囲に含まれる、前記一方の光源と前記他方の光源と前記色材との組合せを特定組合せ特定過程とを有することを特徴とする物体色の光源依存性評価方法である。
【００１２】
また本発明は、物体色の光源依存性評価装置における光源依存性評価方法であって、複数の光源の分光放射情報を指定する分光放射情報指定過程と、複数の色材の分光反射率情報を指定する分光反射率情報指定過程と、目の受光感度を示す等色関数情報を指定する等色関数情報指定過程と、前記指定された分光放射情報と前記指定された分光反射率情報と前記指定された等色関数情報と前記色特定情報算出式とを用いて、前記指定された色材に前記指定された光源の光が照射された際の当該色材の色特定情報を、前記指定された複数の色材におけるいずれかの色材と前記指定された複数の光源におけるいずれかの光源との組合せ毎に算出する色特定情報算出過程と、ある光源とある色材の組合せについて算出した色特定情報と、前記ある光源と他の色材の組合せについて算出した色特定情報との差が第１の所定の閾値以下であり、前記他の光源と前記ある色材の組合せについて算出した色特定情報と、前記他の光源と前記他の色材の組合せについて算出した色特定情報との差が第２の所定の閾値以上となる、前記ある色材と前記他の色材の組合せを特定する色材特定過程とを有することを特徴とする物体色の光源依存性評価方法である。
【００１３】
また本発明は、物体色の光源依存性評価装置における光源依存性評価方法であって、複数の光源の分光放射情報を指定する分光放射情報指定過程と、複数の色材の分光反射率情報を指定する分光反射率情報指定過程と、目の受光感度を示す等色関数情報を指定する等色関数情報指定過程と、前記指定された分光放射情報と前記指定された分光反射率情報と前記指定された等色関数情報と前記色特定情報算出式とを用いて、前記指定された色材に前記指定された光源の光が照射された際の当該色材の色特定情報を、前記指定された複数の色材におけるいずれかの色材と前記指定された複数の光源におけるいずれかの光源との組合せ毎に算出する色特定情報算出過程と、前記指定された光源のうちの特定の光源と前記指定された色材のうちのある１つの色材との組合せについて算出した色特定情報と、前記指定された光源のうちの他の光源と前記ある１つの色材との組合せについて算出した色特定情報と、の差が第３の所定の閾値以上となる前記ある１つの色材を特定する色材特定過程とを有することを特徴とする物体色の光源依存性評価方法である。
【００１４】
また本発明は、物体色の光源依存性評価装置における光源依存性評価方法であって、複数の光源の分光放射情報を指定する分光放射情報指定過程と、複数の色材の分光反射率情報を指定する分光反射率情報指定過程と、目の受光感度を示す等色関数情報を指定する等色関数情報指定過程と、前記指定された分光放射情報と前記指定された分光反射率情報と前記指定された等色関数情報と前記色特定情報算出式とを用いて、前記指定された色材に前記指定された光源の光が照射された際の当該色材の色特定情報を、前記指定された複数の色材におけるいずれかの色材と前記指定された複数の光源におけるいずれかの光源との組合せ毎に算出する色特定情報算出過程と、前記指定された光源のうちのある光源と前記指定された光源のうちのある色材の組合せについて算出した色特定情報と、前記ある光源と前記指定された光源のうちの他の色材の組合せについて算出した色特定情報との差が第４の所定の閾値以下であり、前記指定された光源のうちの他の光源と前記ある色材の組合せについて算出した色特定情報と、前記他の光源と前記他の色材の組合せについて算出した色特定情報との差が第５の所定の閾値以上となる、前記ある光源と前記他の光源の組合せを特定する光源特定過程とを有することを特徴とする物体色の光源依存性評価方法である。
【００１５】
また本発明は、複数の光源の分光放射情報を記憶する分光放射情報記憶手段と、複数の色材の分光反射率情報を記憶する分光反射率情報記憶手段と、目の受光感度を示す等色関数情報を記憶する等色関数情報記憶手段とを備えた物体色の光源依存性評価装置のコンピュータに実行させるプログラムであって、色特定情報の第１の範囲と第２の範囲の指定を受け付ける色特定情報範囲指定受付処理と、前記分光放射情報記憶手段から読み取った前記分光放射情報と、前記分光反射率情報記憶手段から読み取った前記分光反射率情報と、前記等色関数情報記憶手段から読み取った前記等色関数情報と、色特定情報算出式と、を用いて、前記複数の光源のうちの何れかの光源と前記複数の色材の何れかの色材との組合せにおける前記色特定情報を算出する色特定情報算出処理と、前記色特定情報が一方の光源では前記第１の範囲に含まれ、かつ、前記色特定情報が他方の光源では前記第２の範囲に含まれる、前記一方の光源と前記他方の光源と前記色材との組合せを特定組合せ特定処理とをコンピュータに実行させるプログラムである。
【００１６】
また本発明は、物体色の光源依存性評価装置のコンピュータに実行させるプログラムであって、複数の光源の分光放射情報を指定する分光放射情報指定処理と、複数の色材の分光反射率情報を指定する分光反射率情報指定処理と、目の受光感度を示す等色関数情報を指定する等色関数情報指定処理と、前記指定された分光放射情報と前記指定された分光反射率情報と前記指定された等色関数情報と前記色特定情報算出式とを用いて、前記指定された色材に前記指定された光源の光が照射された際の当該色材の色特定情報を、前記指定された複数の色材におけるいずれかの色材と前記指定された複数の光源におけるいずれかの光源との組合せ毎に算出する色特定情報算出処理と、ある光源とある色材の組合せについて算出した色特定情報と、前記ある光源と他の色材の組合せについて算出した色特定情報との差が第１の所定の閾値以下であり、前記他の光源と前記ある色材の組合せについて算出した色特定情報と、前記他の光源と前記他の色材の組合せについて算出した色特定情報との差が第２の所定の閾値以上となる、前記ある色材と前記他の色材の組合せを特定する色材特定処理とをコンピュータに実行させるプログラムである。
【００１７】
また本発明は、物体色の光源依存性評価装置のコンピュータに実行させるプログラムであって、複数の光源の分光放射情報を指定する分光放射情報指定処理と、複数の色材の分光反射率情報を指定する分光反射率情報指定処理と、目の受光感度を示す等色関数情報を指定する等色関数情報指定処理と、前記指定された分光放射情報と前記指定された分光反射率情報と前記指定された等色関数情報と前記色特定情報算出式とを用いて、前記指定された色材に前記指定された光源の光が照射された際の当該色材の色特定情報を、前記指定された複数の色材におけるいずれかの色材と前記指定された複数の光源におけるいずれかの光源との組合せ毎に算出する色特定情報算出処理と、前記指定された光源のうちの特定の光源と前記指定された色材のうちのある１つの色材との組合せについて算出した色特定情報と、前記指定された光源のうちの他の光源と前記ある１つの色材との組合せについて算出した色特定情報と、の差が第３の所定の閾値以上となる前記ある１つの色材を特定する色材特定処理とをコンピュータに実行させるプログラムである。
【００１８】
また本発明は、物体色の光源依存性評価装置のコンピュータに実行させるプログラムであって、複数の光源の分光放射情報を指定する分光放射情報指定処理と、複数の色材の分光反射率情報を指定する分光反射率情報指定処理と、目の受光感度を示す等色関数情報を指定する等色関数情報指定処理と、前記指定された分光放射情報と前記指定された分光反射率情報と前記指定された等色関数情報と前記色特定情報算出式とを用いて、前記指定された色材に前記指定された光源の光が照射された際の当該色材の色特定情報を、前記指定された複数の色材におけるいずれかの色材と前記指定された複数の光源におけるいずれかの光源との組合せ毎に算出する色特定情報算出処理と、前記指定された光源のうちのある光源と前記指定された光源のうちのある色材の組合せについて算出した色特定情報と、前記ある光源と前記指定された光源のうちの他の色材の組合せについて算出した色特定情報との差が第４の所定の閾値以下であり、前記指定された光源のうちの他の光源と前記ある色材の組合せについて算出した色特定情報と、前記他の光源と前記他の色材の組合せについて算出した色特定情報との差が第５の所定の閾値以上となる、前記ある光源と前記他の光源の組合せを特定する光源特定処理とをコンピュータに実行させるプログラムである。
【発明の効果】
【００１９】
本発明によれば、組合せ特定手段が、色特定情報が一方の光源では第１の範囲に含まれ、かつ、色特定情報が他方の光源では第２の範囲に含まれる、一方の光源と他方の光源と色材との組合せを特定するので、これにより、色材が一方の光源に照射された場合には第１の範囲に含まれるＬａｂ値となり、また該色材が他方の光源に照射された場合には第２の範囲に含まれるＬａｂ値となるような、当該色材と一方の光源と他方の光源とを特定することが容易にできるようになる。
【００２０】
本発明によれば、色材特定手段が、ある光源とある色材の組合せについて算出した色空間情報と、前記ある光源と他の色材の組合せについて算出した色空間情報との差が第１の所定の閾値以下であり、他の光源と前記ある色材の組合せについて算出した色空間情報と、前記他の光源と前記他の色材の組合せについて算出した色空間情報との差が第２の所定の閾値以上となる、前記ある色材と前記他の色材の組合せを特定するので、第１の所定の閾値により色空間情報の差が小さく、また第２の所定の閾値により色空間情報の差が大きければ、これにより、ある光源下では異なる色材の色空間情報がほぼ同一となり、また他の光源下では異なる色材の色空間情報が大きく異なるので、これにより、条件等色の現象が発生する色材の組合せを検出することができる。
【００２１】
また本発明によれば、色材特定手段が、特定の光源とある１つの色材との組合せについて算出した色空間情報と、他の光源と前記ある１つの色材との組合せについて算出した色空間情報と、の差が第３の所定の閾値以上となる前記ある１つの色材を特定するので、第３の所定の閾値により色空間情報の差が大きければ、これにより、１つの２つの光源下において大きく色空間情報の異なる１つの色材を検出することができる。
【００２２】
また本発明によれば、光源特定手段が、ある光源とある色材の組合せについて算出した色空間情報と、前記ある光源と他の色材の組合せについて算出した色空間情報との差が第４の所定の閾値以下であり、他の光源と前記ある色材の組合せについて算出した色空間情報と、前記他の光源と前記他の色材の組合せについて算出した色空間情報との差が第５の所定の閾値以上となる、前記ある光源と前記他の光源の組合せを特定するので、第４の所定の閾値により色空間情報の差が小さく、また第５の所定の閾値により色空間情報の差が大きければ、これにより、ある光源下では異なる色材の色空間情報がほぼ同一となり、また他の光源下では異なる色材の色空間情報が大きく異なるので、これにより、条件等色の現象が発生する光源の組合せを検出することができる。
【００２３】
また本発明によれば、前記分光放射情報は任意に設定された情報であることを特徴とする。これにより、任意の光源下で条件等色の現象が発生する色材を特定することができる。
【００２４】
また本発明によれば、前記分光反射率情報は任意に設定された情報であることを特徴とする。これにより、任意の色材を用いて、その色材が条件等色の現象を発生させることのできる色材か否かを検出することができる。
【００２５】
また本発明によれば、前記等色関数情報は、人の色覚特性ごとに異なることを特徴とする。これにより、人の色覚特性ごとに異なる等色関数情報を用いるので、人の色覚特性ごとに条件等色の現象を発生させる色材を特定することができる。
【発明を実施するための最良の形態】
【００２６】
以下、本発明の実施形態による光源依存性評価装置を図面を参照して説明する。図１は同実施形態による光源依存性評価装置の構成を示すブロック図である。この図において、符号１は光源依存性評価装置である。そして光源依存性評価装置１において、符号１１は光源ごとの分光放射強度（分光放射情報）を記憶する分光放射情報記憶部である。また１２は色材毎の分光反射率情報を記憶する分光反射率情報記憶部である。また１３は人の目の受光感度を示す等色関数情報を記憶する等色関数情報記憶部である。
また１４は光源依存性評価装置１の制御を行なう制御部（分光放射情報指定手段、分光反射率情報指定手段、等色関数情報指定手段）である。また１５は色の三刺激値であるＸＹＺ値を算出するＸＹＺ値算出部（三刺激値算出手段）である。また１６は色空間情報であるＬａｂ値をＸＹＺ算出部１４の算出したＸＹＺ値に基づいて算出するＬａｂ値算出部（色空間情報算出手段）である。また１７は分光反射率情報記憶部１２で記憶している色材のうち、条件等色を発生する色材の組合せを特定する色材特定部（色材特定手段）である。また１８は分光放射情報記憶部１１で記憶している光源のうち、異なる複数数の色材に条件等色を発生させる光源の組合せを特定する光源特定部（光源特定手段）である。また１９は一方の光源で照射された色材の色特定情報が第１の範囲に含まれ、他の光源で照射された色材の色特定情報が第２の範囲に含まれるような、色材と前記一方の光源と前記他方の光源の組合せを特定する組合せ特定部（組合せ特定手段）である。
【００２７】
そして、光源依存性評価装置１は、色特定情報の第１の範囲と第２の範囲の指定を受け付け、分光放射情報記憶部１１から読み取った分光放射情報と、分光反射率情報記憶部１２から読み取った分光反射率情報と、等色関数情報記憶部１３から読み取った等色関数情報と、色特定情報算出式と、を用いて、複数の光源のうちの何れかの光源と複数の色材の何れかの色材との組合せにおける色特定情報を算出する。そして、色特定情報が一方の光源では第１の範囲に含まれ、特定情報が他方の光源では第２の範囲に含まれる、光源と色材の組合せを特定する。ここで特定情報とは、色のＸＹＺ値または色のＬａｂ値である。そして、特定情報がＸＹＺ値である場合には、色特定情報算出式としてＸＹＺ算出式が用いられ、また特定情報がＸＹＺ値である場合には、ＸＹＺ算出式と当該ＸＹＺ算出式で得られたＸＹＺ値をＬａｂ値に変換するＬａｂ値算出式が用いられる。
【００２８】
また、光源依存性評価装置１は、分光放射強度と分光反射率情報と等色関数情報とＸＹＺ値算出式とを用いて、色材に光源の光が照射された際の当該色材のＸＹＺ値を、複数の色材におけるいずれかの色材と複数の光源におけるいずれかの光源との組合せ毎に算出し、また算出したＸＹＺ値とＬａｂ値算出式とを用いて前記組合せ毎のＬａｂ値を算出する。そして、ある光源とある色材の組合せについて算出した色空間情報と、前記ある光源と他の色材の組合せについて算出した色空間情報との差が第１の所定の閾値以下であり、他の光源と前記ある色材の組合せについて算出した色空間情報と、前記他の光源と前記他の色材の組合せについて算出した色空間情報との差が第２の所定の閾値以上となる、前記ある色材と前記他の色材の組合せを特定する処理や、
【００２９】
また、光源依存性評価装置１は、ある光源とある色材の組合せについて算出した色空間情報と、前記ある光源と他の色材の組合せについて算出した色空間情報との差が第４の所定の閾値以下であり、他の光源と前記ある色材の組合せについて算出した色空間情報と、前記他の光源と前記他の色材の組合せについて算出した色空間情報との差が第５の所定の閾値以上となる、前記ある光源と前記他の光源の組合せを特定する処理などを行なう。
【００３０】
図２は分光放射情報記憶部の記憶するデータの構成を示す図である。
この図が示すように、分光放射情報記憶部１１は、光源の種類ごとに放射強度を記憶している。ここで分光放射情報記憶部１１は３００ｎｍ〜８００ｎｍにおける一定の間隔の光の波長に対応する各放射強度を記憶している。つまり分光放射情報とは、ある光源の種類についての、光の波長ごとの放射強度を示す情報である。なお、本実施形態においては、分光放射情報記憶部１１は、光源の種類ごとに色温度も記憶している。
【００３１】
図３は分光反射率情報記憶部の記憶するデータの構成を示す図である。
この図が示すように、分光反射率情報記憶部１２は、色材の種類ごとに、光の波長に対応する分光反射率を記憶している。ここで分光反射率情報記憶部１２は３８０ｎｍ〜７８０ｎｍにおける一定の間隔の光の波長に対応する分光反射率を記憶している。つまり分光反射率情報とは、ある色材の種類についての、光の波長ごとの分光反射率を示す情報である。
【００３２】
図４は等色関数情報記憶部の記憶するデータの構成を示す図である。
この図が示すように、等色関数情報記憶部１３は、人間の目に対応する分光感度(色を見分ける３つの感覚)ｘ１（赤の波長域に関する感度）、ｙ１（緑の波長域に関する感度）、ｚ１（青の波長域に関する感度）それぞれについての割合（刺激）の変化の情報を記憶している。つまり、等色関数情報とは、人間の目に対応する分光感度ｘ１、ｙ１、ｚ１の割合を示す関数である。また、等色関数情報記憶部１３は、等色関数の種類ごとに分光感度を記憶している。等色関数の種類は、例えば、標準観察者の等色関数、男性の等色関数、女性の等色関数、色覚特定１（色覚が健常者と異なる人の第２の例）の等色関数、色覚得性２（色覚が健常者と異なる人の第２の例）の等色関数などである。また各分光感度はｘ１、ｙ１、ｚ１はそれぞれ、３８０ｎｍ〜７８０ｎｍまでにおける一定間隔の光の波長に対応する割合の情報を記憶している。
【００３３】
図５は光源依存性評価装置の第１の処理フローを示す図である。
次に、図５を用いて光源依存性評価装置１の第１の処理について順を追って説明する。
まず、光源依存性評価装置１のユーザから、Ｌａｂ値の第１の範囲と第２の範囲の指定を受け付ける（ステップＳ１１）。ここでＬａｂ値の第１の範囲および第２の範囲は、色のＬａｂの空間における３次元の範囲である。制御部１４は、ユーザからＬａｂ値の第１の範囲と第２の葉にを受け付けると、次に、分光放射情報記憶部１１からある光源の分光放射情報を読み取り、また分光反射率情報記憶部１２からある色材の分光反射率情報を読み取り、また等色関数情報記憶部１３からある等色関数情報を読み取る。そして、制御部１４は、分光放射情報記憶部１１に記録されている複数の光源のうちの何れかの光源と、分光反射率情報記憶部１２に記録されている複数の色材の何れかの色材の組合せでのＸＹＺを算出するようＸＹＺ算出部１５に通知する。すると、ＸＹＺ算出部１５は、光源と色材の組合せ毎にＸＹＺ値を算出する（ステップ１２）。式（１）、（２）、（３）にＸＹＺ値算出式を示す。
【００３４】
【数１】
2005292071.tif 000003
【００３５】
次に光源依存性評価装置１の制御部１４はＬａｂ値算出部１６に、ＸＹＺ算出部１５の算出したＸＹＺ値それぞれに対応するＬａｂ値を算出するよう指示する。するとＬａｂ値算出部１６はＬａｂ値算出式を用いて、ＸＹＺ算出部１５の算出したＸＹＺ値それぞれに対応するＬａｂ値を算出する（ステップＳ１３）。なお、ＸＹＺ値からＬａｂ値を算出するＬａｂ値算出式は公知であり、例えば、「ＪＩＳハンドブック，色彩２００３，２００３年１月３１日発行，p.325-p.327，日本規格協会」に掲載されている。
【００３６】
そして、組合せ特定部１９は、光源と色材の組合せ毎に算出されたＬａｂ値を用いて、そのＬａｂ値を算出したときの光源が、一方の光源においては第１の範囲に含まれ、また他方の光源においては第２の範囲に含まれる色材と前記一方の光源と前記他方の光源の組合せを特定する（ステップＳ１４）。そして、組合せ特定部１９は、例えば、光源依存性評価装置１の備える表示部などに、特定した色材と一方の光源と他方の光源の組合せを表示する処理を行なう（ステップＳ１５）。これにより、色材が一方の光源に照射された場合には第１の範囲に含まれるＬａｂ値となり、また該色材が他方の光源に照射された場合には第２の範囲に含まれるＬａｂ値となるような、当該色材と一方の光源と他方の光源とを特定することが容易にできるようになる。なお、本実施形態においては、Ｌａｂ値を用いているが、ＸＹＺ値を用いて、第１のＸＹＺ値の範囲と第のＸＹＺ値に含まれるような、色材と一方の光源と他方の光源を特定するようにしても良い。
【００３７】
図６は光源依存性評価装置の第２の処理フローを示す図である。
次に、図６を用いて光源依存性評価装置１の第２の処理について順を追って説明する。
まず、光源依存性評価装置１のユーザから、２種類の光源（光源１、光源２）と１０種類の色材が指定されたとする。すると、制御部１４は、指定された光源の分光放射強度を分光放射情報記憶部１１から読み取る。また制御部１４は、指定された色材の分光反射率情報を分光反射率情報記憶部１２から読み取る。また制御部１４は、標準観察者の等色関数情報を等色関数情報記憶部１３から読み取る。そして、制御部１４は、分光放射情報記憶部１１と分光反射率情報記憶部１２と等色関数情報記憶部１３とからそれぞれ読み取った情報をＸＹＺ値算出部１５に転送し、ＸＹＺ値を算出するよう指示する（ステップＳ２１）。
【００３８】
ＸＹＺ値算出部１５は、制御部１４からＸＹＺ値を算出するための各情報を受けると、ＸＹＺ値算出色を用いて、指定された光源と色材の、全ての組合せについて、該色材に該光源を照射した際の該色材のＸＹＺ値を算出する（ステップＳ２２）。ＸＹＺ値の算出手法は上述した式によるものである。
【００３９】
次に光源依存性評価装置１の制御部１４はＬａｂ値算出部１６に、ＸＹＺ算出部１５の算出したＸＹＺ値それぞれに対応するＬａｂ値を算出するよう指示する。するとＬａｂ値算出部１６はＬａｂ値算出式を用いて、ＸＹＺ算出部１５の算出したＸＹＺ値それぞれに対応するＬａｂ値を算出する（ステップＳ２３）。なお、ＸＹＺ値からＬａｂ値を算出するＬａｂ値算出式は上述のとおりである。
【００４０】
次に、制御部１４は、指定された２種類の光源と１０種類の色材との組合せ毎に算出されたＬａｂ値の表を作成し、その表に基づいて、条件等色の発生する色材の複数の組合せを特定するよう色材特定部１７に指示する。すると色材特定部１７は、２種類の光源のうちの一方の光源においてＬａｂ値の差（色差）が第１の所定の閾値以下となり、また２種類の光源のうちの他方の光源においてＬａｂ値の差が第２の所定の閾値以上となる色材の組合せを特定する（ステップＳ２４）。ここで、第１の所定の閾値は色差＝１．６程度である。これは、色差が１．６以下であれば、前記一方の光源における２つの色材の色がほぼ同じ色として人に判断される為である。また第２の所定の閾値は色差＝７程度である。これは、色差が７以上であれば、前記他方の光源における２つの色材の色が異なる色として人に判断されるためである。なお、色や光源によって、ほぼ同じ色に見える色差や、異なる色に見えるための色差の値は異なるので、従って第１の所定の閾値や第２の所定の閾値は光源依存性評価装置１のユーザが任意に設定でき、この設定に基づいて、色材特定部が処理を行なう。
【００４１】
そして、条件等色の発生する色材の組合せを特定すると、色材特定部１７は、例えば、光源依存性評価装置１の備える表示部などに、特定した色材の組合せを表示する処理を行なう（ステップＳ２５）。これにより、ユーザは１０種類の色材のうち、２種類の光源を用いて条件等色を発生する色材の組合せを把握することができる。なお、本実施形態においては、２種類の光源と１０種類の色材が指定された例を示したが、光源や色材の種類の数はいくつでも良く、例えば、３つの光源（Ａ、Ｂ、Ｃ）が指定された場合には、その光源ＡとＢで条件等色を発生する色材の組合せと、光源ＡとＣで条件等色を発生する他の色材の組合せを特定する処理をさせたり、また、光源ＡとＢでは異なる色に見えないが、光源Ｃのみで異なる色に見える色材の組合せを特定する処理をさせたりするようにしてもよい。
【００４２】
また、等色関数情報を標準観察者の等色関数情報以外の情報に変更することで、人の色覚特性に合わせた条件等色を発生する色材を特定することができる。例えば、人種間や、男女間の色覚特性の違いを考慮した条件等色の予測や、色覚が健常者とは異なる人の色覚特性を考慮した条件等色の予測などができるようになる。その場合には制御部１４が標準観察者の等色関数情報以外の他の等色関数情報を等色関数情報記憶部１３から読み取って、ＸＹＺ値算出部１５に通知する。
【００４３】
また、例えば、２種類の光源と１００種類の色材が指定されて、色材特定部１７が２種類の光源により色差が一定値以上離れている色材を、前記１００種類の色材の中から特定する処理を行なうようにしても良い。この場合、色材特定部１７が前記２種類の光源と前記１００種類の色材の組合せ毎にＬａｂ値を算出する。そして色材特定部１７は、前記２種類の光源のうち一方の光源におけるＬａｂ値と他方の光源におけるＬａｂ値の差が第３の所定の閾値以上となる、色材を特定する。ここで第３の所定の閾値は、第２の所定の閾値と同様にユーザによって設定される。これにより、２つの光源下で見える色が大きく異なる色材を検出することができる。
【００４４】
また、色材特定部１７が、条件等色の現象の発生する光源の組合せを特定する際に、色温度の同程度（例えば色温度の差が１０度以下）の光源の組合せを特定する。これにより、光源を切り替えても人の目には光源が替わったように見えないが、色材の色だけが変化しているような条件等色の現象を発生させる光源と色材の組合せを検出することができる。
【００４５】
また、光源依存性評価装置１が、色材を特定するだけでなく、条件等色の現象を発生させる光源の組合せを特定するようにしても良い。
この場合、例えば、１０種類の光源と２種類の色材とがユーザによって指定されて、光源依存性評価装置１が上述の処理と同様に光源と色材の全ての組合せについてＬａｂ値を算出する。そして、光源特定部１８が、ある光源を２種類の色材にそれぞれ照射した際の各色材のＬａｂ値の差が第４の閾値以下となり、また他の光源を前記２種類の色材にそれぞれ照射した際の各色材のＬａｂ値の差が第５の閾値以上となる、前記１０種類の光源のうちのある光源と他の光源の組合せを、条件等色の現象を発生させる２つの光源の組合せと特定する。なお、この時、第４の閾値は上述の第１の閾値と同様にユーザによって設定され、また第５の閾値は上述の第２の閾値と同様にユーザによって設定される。
【００４６】
なお上記、色特定情報とは、Ｌａｂ値やＸＹＺ値に限らず、その他の表色系、例えばＬＵＶであってもよい。
【００４７】
なお、上述の条件等色を発生させる色材や光源を特定することにより、例えば、通常の道路を走っている車の後部に表示されている「追突注意」の表示が、トンネル内に入るとコントラストが大きくなるようなステッカーなどの製品の製造に応用することができる。また、これ以外にも例えば、街路灯の光によって照明されると、より注意を引くような色彩変化が起こる道路標識や、室内を照らす蛍光灯を白熱灯に切り替えることによって模様が変化するカーテンや壁紙、紫外線が照射されたときのみ文字が浮きで出る紫外線インジケータ、レストランの電灯の切り替えによって模様が替わる皿、１つの物体色を光源を切り替えることにより異なる色に変化させるショーケース、光源が替わると（室外からブラックライトの照らされたダンスフロアなどに入ると）塗布した顔の部分の色が変化する化粧品、などの製造に応用することができる。また上記の例は反射物体であるが、その他に透過物体においても同様に応用することができる。
【００４８】
上述の光源依存性評価装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４９】
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【図面の簡単な説明】
【００５０】
【図１】光源依存性評価装置の構成を示すブロック図である。
【図２】分光放射情報記憶部の記憶するデータの構成を示す図である。
【図３】分光反射率情報記憶部の記憶するデータの構成を示す図である。
【図４】等色関数情報記憶部の記憶するデータの構成を示す図である。
【図５】光源依存性評価装置の第１の処理フローを示す図である。
【図６】光源依存性評価装置の第２の処理フローを示す図である。
【符号の説明】
【００５１】
１・・・光源依存性評価装置
１１・・・分光放射情報記憶部
１２・・・分光反射率情報記憶部
１３・・・等色関数情報記憶部
１４・・・制御部
１５・・・ＸＹＺ値算出部
１６・・・Ｌａｂ値算出部
１７・・・色材特定部
１８・・・光源特定部
１９・・・組合せ特定部
【図１】
2005292071.tif 000004
【図２】
2005292071.tif 000005
【図３】
2005292071.tif 000006
【図４】
2005292071.tif 000007
【図５】
2005292071.tif 000008
【図６】
2005292071.tif 000009